(57)【要約】【課題】登録装置と精算装置とが分離した構成において、登録は行われたものの精算を行っていない者を容易に特定する。【解決手段】買上商品の商品登録を行う登録装置２００と、顧客自らが精算を行なう精算装置３００とを含むＰＯＳシステム１は、商品登録中の顧客を撮像して撮像データを生成するカメラと、前記登録装置における各取引を識別する取引識別情報に対応付けて、前記カメラにより生成され該取引における顧客の撮像データを記憶する第１の記憶手段と、前記取引識別情報に対応付けて、前記精算装置における精算が完了したか否かの状況を示す精算状況情報を記憶する第２の記憶手段と、前記第２の記憶手段が記憶する前記精算状況情報に基づいて前記精算が完了していない顧客の前記撮像データを前記第１の記憶手段から読み出して表示する表示手段とを備える。【選択図】図１
2014016880.tif 000002
【特許請求の範囲】
【請求項１】
買上商品の商品登録を行う登録装置と、顧客自らが精算を行なう精算装置とを含むＰＯＳシステムにおいて、
商品登録中の顧客を撮像して撮像データを生成するカメラと、
前記登録装置における各取引を識別する取引識別情報に対応付けて、前記カメラにより生成され該取引における顧客の撮像データを記憶する第１の記憶手段と、
前記取引識別情報に対応付けて、前記精算装置における精算が完了したか否かの状況を示す精算状況情報を記憶する第２の記憶手段と、
前記第２の記憶手段が記憶する前記精算状況情報に基づいて前記精算が完了していない顧客の前記撮像データを前記第１の記憶手段から読み出して表示する表示手段と
を備えることを特徴とするＰＯＳシステム。
【請求項２】
前記表示手段は、
前記登録装置、前記登録装置と前記精算装置と通信可能に接続された上位装置、又は、前記精算装置における精算状況を監視するための精算監視装置に設けられ、
前記精算状況情報に基づいて前記精算が完了していない未精算取引の取引情報を表示する
ことを特徴とする請求項１に記載のＰＯＳシステム。
【請求項３】
前記表示手段は、
前記精算が完了していない未精算取引の取引情報をリスト化して表示するとともに、商品登録から所定の時間が経過した前記未精算取引の取引情報をリスト内にて異なる表示態様で表示する
ことを特徴とする請求項１又は請求項２に記載のＰＯＳシステム。
【請求項４】
前記第１の記憶手段は、
前記精算が完了した取引の顧客の前記撮像データを削除する
ことを特徴とする請求項１乃至請求項３の何れか１項に記載のＰＯＳシステム。
【発明の詳細な説明】
【技術分野】
【０００１】
本発明は、ＰＯＳシステムに関する。
【背景技術】
【０００２】
スーパーマーケット等の小売店において、来店者が未精算の商品（品物）を持ったまま店舗外に出る不正行為（「カゴ抜け」とも称される）が行われることがある。このような不正行為は、主に店員（オペレータ）が操作する商品を登録する登録装置と、顧客自身が登録後の商品の代金を精算する精算装置とに分離したチェックアウトシステムにおいても同様に行われる可能性がある。つまり、本来であれば、主に店員が、登録装置を使用してある顧客のカゴ内の商品について登録作業を行い、続いて当該顧客が、精算装置を使用してカゴ内の登録済みの商品について精算作業を行うべきところ、当該顧客が精算作業を行わずに未精算の商品を持ったまま店舗外に出てしまう可能性がある。
【０００３】
上述のように不正行為の防止策として、監視カメラで顧客を撮影するシステム（例えば、特許文献１参照）が活用できるようにも思われる。
【先行技術文献】
【特許文献】
【０００４】
【特許文献１】特開２０１０−１９８５２３号公報
【発明の概要】
【発明が解決しようとする課題】
【０００５】
しかしながら、従来のシステムでは、上述した登録装置と精算装置とが分離した構成において、登録は行われたものの精算を行わずに帰る来店者（又は帰った来店者）を特定するのは困難であった。あるいは、膨大な画像データの中から、上述の不正行為があったと思われる時間や来店者を特定するのは手間が掛かった。
【０００６】
本発明は、このような事情を考慮してなされたものであり、その目的は、登録装置と精算装置とが分離した構成において、登録は行われたものの精算を行っていない者を容易に特定することができるＰＯＳシステムを提供することにある。
【課題を解決するための手段】
【０００７】
上述した課題を解決するために、本発明の一態様に係るＰＯＳシステムは、買上商品の商品登録を行う登録装置と、顧客自らが精算を行なう精算装置とを含むＰＯＳシステムにおいて、商品登録中の顧客を撮像して撮像データを生成するカメラと、前記登録装置における各取引を識別する取引識別情報に対応付けて、前記カメラにより生成され該取引における顧客の撮像データを記憶する第１の記憶手段と、前記取引識別情報に対応付けて、前記精算装置における精算が完了したか否かの状況を示す精算状況情報を記憶する第２の記憶手段と、前記第２の記憶手段が記憶する前記精算状況情報に基づいて前記精算が完了していない顧客の前記撮像データを前記第１の記憶手段から読み出して表示する表示手段とを備えることを特徴とする。
【０００８】
上記ＰＯＳシステムによれば、前記表示手段は、前記第２の記憶手段が記憶する前記精算状況情報に基づいて前記精算が完了していない顧客の前記撮像データを前記第１の記憶手段から読み出して表示するので、店員は、精算が完了していない顧客の特徴（顔、体型、服装などの容姿）を確認することができる。しかも、撮像データの表示に際し、膨大な撮像データの中から不正行為があったと思われる時間や顧客を特定するというような手間は掛からない。つまり、登録装置と精算装置とが分離した構成において、登録は行われたものの精算を行っていない顧客を容易に特定することができる。
【０００９】
上述ＰＯＳシステムにおいて、前記表示手段は、前記登録装置、前記登録装置と前記精算装置と通信可能に接続された上位装置、又は、前記精算装置における精算状況を監視するための精算監視装置に設けられ、前記精算状況情報に基づいて前記精算が完了していない未精算取引の取引情報を表示するようにしてもよい。
【００１０】
上記ＰＯＳシステムによれば、前記表示手段は、前記登録装置、前記登録装置と前記精算装置と通信可能に接続された上位装置（ストアコントローラ）、又は、前記精算装置における精算状況を監視するための精算監視装置（アテンダント端末）に設けられ、前記精算状況情報に基づいて前記精算が完了していない未精算取引の取引情報を表示するので、店員は、登録装置、上位装置、精算監視装置の何れの装置からも、商品登録後に精算が完了しない取引（顧客）の存在を認識し、当該顧客の特徴を確認することができる。
【００１１】
上述ＰＯＳシステムにおいて、前記表示手段は、前記精算が完了していない未精算取引の取引情報をリスト化して表示するとともに、商品登録から所定の時間が経過した前記未精算取引の取引情報をリスト内にて異なる表示態様で表示するようにしてもよい。
【００１２】
上記ＰＯＳシステムによれば、前記表示手段は、前記精算が完了していない未精算取引の取引情報をリスト化して表示するので、登録は行われたものの精算を行っていない取引（顧客）の数を大まかに（若しくは必要であれば正確に）に把握することができる。従って、一例としては、リスト内の情報が、同程度の混雑具合（例えば、直前に登録した顧客数）に比べ異常に多い場合には何らかの問題が生じている状況にある可能性があるが、現在、そのような状況になっていることを店員に知らせることができる。さらに、前記表示手段は、商品登録から所定の時間（例えば、当該時間内であれば顧客によって精算が当然に完了しているはずであると考えられる妥当な所要時間）が経過した前記未精算取引の取引情報をリスト内にて異なる表示態様（例えば、当該所定の時間の経過前の未精算取引の表示態様と比べ目立つような表示態様）で表示するので、登録完了後一定期間経過前の未精算の取引（顧客）の撮像データよりも、登録完了後一定期間経過後の未精算の取引（顧客）の撮像データを優先して閲覧するように、店員に対して注意を促すことができる。
【００１３】
上述ＰＯＳシステムにおいて、前記第１の記憶手段は、前記精算が完了した取引の顧客の前記撮像データを削除するようにしてもよい。
【００１４】
上記ＰＯＳシステムによれば、前記第１の記憶手段は、前記精算が完了した取引の顧客の前記撮像データを削除するので、即ち、登録は行われたものの精算を行っていない顧客の撮像データのみが記憶されるので、前記第１の記憶手段の記憶容量を少なくし、かつ、効率的に撮像データを読み出すことができるようになる。
【発明の効果】
【００１５】
本発明によれば、登録装置と精算装置とが分離した構成において、登録は行われたものの精算を行っていない者を容易に特定することができる。
【図面の簡単な説明】
【００１６】
【図１】本発明の一実施形態によるＰＯＳシステム１の構成図の一例である。
【図２】本発明の一実施形態による登録装置２００の機能ブロック図の一例である。
【図３】本発明の一実施形態による撮像部の設置位置、撮像方向を説明するための説明図である。
【図４】ストアコントローラ１００が記憶する情報の一例である。
【図５】本発明の一実施形態によるＰＯＳシステム１における表示例である。
【図６】本発明の一実施形態によるＰＯＳシステム１における表示例である。
【図７】本発明の一実施形態によるＰＯＳシステム１の動作を説明するためのフローチャートである。
【図８】本発明の一実施形態によるＰＯＳシステム１の動作を説明するためのフローチャートである。
【発明を実施するための形態】
【００１７】
以下、本発明の一実施形態を、図面を参照して説明する。図１は、本発明の一実施形態によるＰＯＳシステム１の構成図の一例である。図１に示すように、ＰＯＳシステム１は、ストアコントローラ１００（上位装置）と、Ｎ台（Ｎは１以上の整数）の登録装置２００と、Ｍ台（Ｍは１以上の整数）の精算装置（会計装置）３００と、Ｌ台（Ｌは１以上の整数）の精算監視装置（アテンダント端末）４００とを有する。
【００１８】
ストアコントローラ１００と、登録装置２００と、精算装置３００と、精算監視装置４００とは、互いに、ＬＡＮ１１０を介して接続されている。ＬＡＮ接続の形態は、有線であってもよいし、無線であってもよい。
【００１９】
ストアコントローラ１００は、ＰＯＳシステム１を制御するコンピュータ（例えば、サーバ）である。ストアコントローラ１００は、例えば、商品マスタを記憶する。商品マスタは、各商品の商品識別情報（例えばＪＡＮコード）、商品名称、販売価格などの商品情報を格納（保持）するファイルである。ストアコントローラ１００は、商品の販売状況及び仕入れ状況等に応じて更新された最新の商品マスタを、適宜、他の装置（登録装置２００、精算装置３００、精算監視装置４００）に送信する。
【００２０】
また、ストアコントローラ１００は、各取引の取引情報（取引データ）をログファイルとして記憶する。取引情報は、登録装置２００における登録処理に関係する情報に加え、精算装置３００における精算処理に関係する情報を含む。
【００２１】
登録処理に関係する情報は、例えば、取引識別情報（レシート番号、取引番号とも称する）、装置識別情報（レジ番号、装置番号とも称する）、商品番号（商品コードとも称する）、登録した商品の数量（買上点数とも称する）、合計金額（買上金額とも称する）、取引日時（取引完了日時、登録日時とも称する）を含む。ストアコントローラ１００は、上記情報を登録装置２００から受信して記憶する。なお、ストアコントローラ１００は、担当者名を登録装置２００から受信して記憶してもよい。また、ストアコントローラ１００は、商品番号に代えて又は加えて商品名を受信して記憶してもよい。また、ストアコントローラ１００は、撮像データ（後述）の記憶アドレスを示す情報を登録装置２００から受信して記憶してもよい。
【００２２】
取引識別情報は、登録装置２００における一取引（顧客毎の一登録処理）を識別する識別情報である。取引識別情報の採番の規則は特に限定しない。例えば、夫々の登録装置２００において重複しない値の取引識別情報を発行してもよいし、ＰＯＳシステム１全体として重複しない値の取引識別情報を発行してもよい。なお、夫々の登録装置２００において重複しない値の取引識別情報を発行する場合には、ＰＯＳシステム１全体では、各登録装置２００の識別情報（装置識別情報）と取引識別情報とから各取引を特定する。また、ＰＯＳシステム１全体として重複しない値の取引識別情報を発行する場合には、ストアコントローラ１００が、全登録装置２００における取引識別情報の発行（採番）を制御する。なお、以下の説明においては、ＰＯＳシステム１全体として重複しない値の取引識別情報を発行するものとして説明する。
【００２３】
装置識別情報は、当該取引（登録処理）を行った登録装置２００を示す識別情報である。取引日時は、当該取引（登録処理）が完了した日時であって、例えば、後述するように、発券日時であってもよい。担当者名は、当該取引（登録処理）を行った店員（オペレータ）の氏名である。
【００２４】
精算処理に関係する情報は、例えば、ある取引について精算装置３００における精算が完了したか否かの精算の状況を示す精算状況情報である。例えば、ストアコントローラ１００は、取引識別情報に対応付けて、未精算の状況を示す値、又は、精算済の状況を示す値の何れかの値をとる未精算・精算済フラグを精算状況情報として記憶する。
【００２５】
以下の説明において、未精算・精算済フラグの値が未精算の状況を示す値である取引情報を未精算取引情報とも称し、未精算・精算済フラグの値が精算済みの状況を示す値である取引情報を精算済取引情報とも称する。
【００２６】
ストアコントローラ１００は、ある取引について精算が完了した旨の情報（精算完了情報）を精算装置３００から受信したか否かに応じて、当該取引の取引情報の精算状況情報（未精算・精算済フラグ）の値を変化させる。具体的には、ストアコントローラ１００は、取引識別情報を含む精算完了情報を精算装置３００から受信したときは、当該精算完了情報に含まれている取引識別情報によって識別される取引情報の未精算・精算済フラグの値を未精算の状況を示す値（初期値）から精算済の状況を示す値に更新する。
【００２７】
つまり、ＰＯＳシステム１（当該ストアコントローラ１００、並びに、当該ストアコントローラと通信可能に接続された登録装置２００、精算装置３００、精算監視装置４００）において、ある取引が精算済であるか未精算であるかは、即ち、精算済取引情報であるか未精算取引情報であるかは、精算状況情報（未精算・精算済フラグ）によって判別することができる。
【００２８】
また、ストアコントローラ１００は、他の装置（登録装置２００、精算装置３００、精算監視装置４００）からの要求に応じて、記憶している取引情報を他の装置に送信する。
【００２９】
精算監視装置４００は、各精算装置３００における精算状況を監視するための装置である。例えば、店員（例えば、精算装置３００を操作する顧客の様子を監視する店員）は、精算監視装置４００を使用して、各精算装置３００の釣銭釣札部（後述）の収納枚数状況などを確認することができる。なお、精算監視装置４００は、タッチパネル式モニタを備え、店員のタッチ操作によって、収納枚数状況などの精算状況を監視できるようにしてもよい。
【００３０】
登録装置２００は、お客が購入する商品（買上商品）について、店員（オペレータ）が商品登録を行うための装置である。精算装置３００は、お客自らが精算を行なうための装置である。精算監視装置４００は、主に、精算装置３００における精算の様子を監視するための装置である。
【００３１】
図２は、登録装置２００の機能ブロック図の一例である。図２に示すように、登録装置２００は、ＣＰＵ２０１と、ＲＯＭ２０２と、ＲＡＭ２０３と、スキャナ部２０４と、店員用表示部２０５と、客用表示部２０６と、操作部２０７と、通信部２０８と、ブザー２０９と、印刷部２１０と、ハードディスク２１１と、撮像部（カメラ）２１２とを備える。各構成要素は、互いにバスを介して接続されており相互に通信可能である。なお、スキャナ部２０４、撮像部２１２は、登録装置２００と一体ではなく、登録装置２００に着脱可能な別体（外付）であってもよい。
【００３２】
ＣＰＵ２０１は、中央処理装置であり、ＲＯＭ２０２に記憶されているプログラムを読み出して実行することにより、登録装置２００の動作を制御する。ＲＯＭ２０２は、上記プログラムを記憶している読み出し専用メモリである。
【００３３】
ＲＡＭ２０３は、種々の情報を記憶する随時読み出し書き込みメモリである。スキャナ部２０４は、商品に付されているバーコード（商品コード）を光学的に読み取る。ＣＰＵ２０１は、スキャナ部２０４によって読み取られたバーコード（商品コード）をＲＡＭ２０３に記憶させる。
【００３４】
店員用表示部２０５は、店員向けに種々の情報を表示する。例えば、店員用表示部２０５は、商品マスタから取得した情報（例えば、商品の名称、価格等）を表示する。また例えば、店員用表示部２０５は、精算装置３００における精算処理が完了していない取引（未精算取引）の取引情報（未精算取引情報）を表示する。具体的には、店員用表示部２０５は、未精算一覧画面（後述）において未精算取引情報を表示する。また例えば、店員用表示部２０５は、撮像データ（後述）を表示する。具体的には、店員用表示部２０５は、未精算取引の撮像データを表示する。
【００３５】
また、店員用表示部２０５は、店員への表示機能に加え、店員からの入力受付機能も有する。例えば、店員用表示部２０５は、タッチパネル式（例えば、液晶タッチパネル）であってもよい。例えば、店員用表示部２０５は、商品登録用の画面（商品登録画面）の表示中において、当該商品登録画面に設けられたボタン（プリセットボタン）を店員がタッチすることによって、当該ボタンに予め設定登録されている商品の商品情報（商品コード等）の入力を受け付けるようにしてもよい。また、例えば、店員用表示部２０５は、店員が、未精算一覧画面上にて所望の未精算取引情報（当該未精算取引情報が表示された画面上の領域）をタッチすることによって、ある未精算取引の指定の入力を受け付けるようにしてもよい。
【００３６】
客用表示部２０６は、お客向けに種々の情報を表示する。例えば、客用表示部２０６は、商品マスタから取得した情報を表示する。客用表示部２０６は、店員用表示部２０５と同様、タッチパネル式であってもよい。例えば、客用表示部２０６は、お客が、ある内容（例えば、年齢、合計金額）に関する確認ボタンにタッチすることによって、当該内容の確認の入力を受け付けるようにしてもよい。
【００３７】
操作部２０７は、登録装置２００を動作させる各種のキー、小計キー、現計キー、置数キー、訂正キー、プリセットキー等の操作ボタンからなる。例えば、操作部２０７は、予めプリセットキーに設定登録されている商品情報（商品コード等）の入力を受け付ける。
【００３８】
通信部２０８は、ＬＡＮ１１０を経由し、他の装置（ストアコントローラ１００、他の登録装置２００、精算装置３００、精算監視装置４００）と通信する。例えば、通信部２０８は、ＣＰＵ２０１の制御に従って取引情報をストアコントローラ１００に送信する。また例えば、通信部２０８は、ＣＰＵ２０１の制御に従って撮像データ（後述）を送受信する。ブザー２０９は、店員に注意を促すブザー音を発生させるものである。
【００３９】
印刷部２１０は、精算装置３００における精算処理を行うときに必要となる情報を２次元コード（例えば、ＱＲ（Ｑｕｉｃｋ  Ｒｅｓｐｏｎｓｅ）コード（登録商標））化して所定の印刷媒体に印刷し、お会計券（精算券）として発行（発券）する。具体的には、印刷部２１０は、ＰＯＳシステム１内において各取引を識別可能な取引識別情報と当該取引における買上金額とを含む、取引情報を２次元コード化する。また、印刷部２１０は、取引識別情報のみを２次元コード化してもよい。
【００４０】
ハードディスク２１１は、種々の情報を記憶する。例えば、ハードディスク２１１は、撮像部２１２によって撮像された撮像データ（後述）を記憶する。具体的には、ＣＰＵ２０１の制御によって、ハードディスク２１１には、取引識別情報に対応付けて撮像データが記憶される。ハードディスク２１１に記憶された撮像データは、ＣＰＵ２０１の制御によって、読み出され、店員用表示部２０５又は通信部２０８に出力される。
【００４１】
撮像部２１２は、商品登録中のお客を撮像して撮像データ（動画）を生成する。具体的には、当該登録装置２００において店員があるお客の買上商品について商品登録作業をしている最中（商品登録中）に、当該商品登録作業が完了するのを待っている当該お客を撮像し、当該お客を被写体とする撮像データ（当該お客が映った撮像データ）を生成する。
【００４２】
図３は、撮像部２１２の設置位置、撮像方向を説明するための説明図である。図３（ａ）及び図３（ｂ）は、カウンタ台２２に設置された登録装置２００の斜視図である。図３（ａ）及び図３（ｂ）において、矢印Ａはお客の移動方向（会計導線）を表し、ドット表示領域Ｂはお客の標準的な立ち位置を表している。即ち、図３（ａ）は会計導線の上流側から見た登録装置２００の斜視図、図３（ｂ）は会計導線の下流側から見た登録装置２００の斜視図である。図３（ｃ）は、撮像データの一例である。
【００４３】
撮像部２１２は、得られた撮像データから、お客の容姿、服装を確認できるように配置する。例えば、ドット表示領域Ｂ上に立った人の撮像データが図３（ｃ）の如く得られるように、図３（ａ）及び図３（ｂ）ように、カウンタ台２２の近傍に置かれた商品棚２０の上部に撮像部２１２を配置（設置位置、撮像方向を決定）する。また例えば、客用表示部２０６の上部に撮像部２１２を配置してもよい。なお、撮像部２１２と登録装置２００の本体とはケーブルによって接続され、該ケーブルにより画像が撮像部２１２から本体に送信されるようにしてもよいし、撮像部２１２と本体とは無線接続され、無線通信により画像が撮像部２１２から本体に送信されるようにしてもよい。
【００４４】
精算装置３００は、ＣＰＵと、ＲＯＭと、ＲＡＭと、スキャナ部と、表示部と、操作部と、通信部と、ブザーと、印刷部と、釣札釣銭部と、報知部と、無線通信部と、アンテナ部とを備える（何れも非図示）。釣札釣銭部は、硬貨出金口と硬貨入金口と紙幣入出金口とを有する。報知部は、先端の発光部が点灯または点滅するサインポール部を有する。各構成要素は、バスを介して接続されており相互に通信可能である。
【００４５】
ＣＰＵは、中央処理装置であり、ＲＯＭに記憶されているプログラムを読み出して実行することにより、精算装置３００の動作を制御する。例えば、ＣＰＵは、スキャナ部から２次元コードの情報として、取引情報を取得した場合、当該取引情報に含まれる買上情報（買上点数、買上金額等）に基づく買上明細を表示部に表示させる。なお、ＣＰＵは、スキャナ部から２次元コードの情報として、取引識別情報のみを取得した場合には、通信部を介して、当該取引識別情報によって識別される取引情報をストアコントローラ１００から受信し、当該取引情報に含まれる買上情報に基づく買上明細を表示部に表示させる。
【００４６】
また、ＣＰＵは、釣銭釣札部から供給された投入された硬貨の金額を示す硬貨金額情報と投入された紙幣の金額を示す紙幣金額情報とを用いて、投入された硬貨の金額と投入された紙幣の金額とを加算し、投入総額を算出する。また、ＣＰＵは、買上総額と現在迄の投入総額の差分を算出し、表示部に表示させる。また、ＣＰＵは、釣銭釣札部に硬貨の排出を指示する硬貨排出指示情報または紙幣の排出を指示する紙幣排出指示情報を供給する。
【００４７】
なお、ＣＰＵは、あるお会計券上に印刷された２次元コードの情報を取得してから所定時間を経過しても当該お会計券による会計処理が完了していない場合には、サインポール部を点灯又は点滅させてもよい。
【００４８】
ＲＯＭは、ＣＰＵによって実行されるプログラムを記憶している読み出し専用メモリである。ＲＡＭは、種々の情報を記憶する随時読み出し書き込みメモリである。例えば、ＲＡＭには、買上情報などが記憶される。
【００４９】
スキャナ部は、登録装置２００で印刷されたお会計券上の２次元コード（ＱＲコード（登録商標））を光学的に読み取る。スキャナ部は、読み取った情報をＣＰＵへ供給する。
【００５０】
表示部は、種々の情報を表示する。例えば、表示部は、スキャナ部で読み取られた２次元コードに基づく買上明細を表示する。操作部は、精算装置３００を動作させる各種のキー（例えば、小計キー、現計キー、置数キー、訂正キー、預りキー等）の操作ボタンを備える。
【００５１】
通信部は、ＬＡＮ１１０を経由し、他の装置と通信する。例えば、通信部は、最新の商品マスタをストアコントローラ１００から受信する。また例えば、通信部は、精算が完了した場合、取引識別情報を含む、精算が完了した旨の情報（精算完了情報）をストアコントローラ１００に送信する。なお、精算完了情報を受信したストアコントローラ１００は、上述の如く、当該精算完了情報に含まれている取引識別情報によって識別される取引情報の精算状況情報を更新（例えば、未精算・精算済フラグの値を未精算の状況を示す値から精算済の状況を示す値に更新）する。
【００５２】
ブザーは、会計処理のエラー等を示すブザー音を発生させる。印刷部は顧客による会計終了後、当該顧客が持ち帰る会計済みレシート（明細レシート）を印刷する。
【００５３】
硬貨出金口は、ＣＰＵから供給された硬貨の排出を指示する硬貨排出指示情報に従って、凹部から硬貨の釣銭を排出する。硬貨入金口は、上記とは別の凹部から硬貨が投入された場合に、硬貨の種類とそれぞれの枚数を計数し、投入された金額を算出し、算出した金額を示す硬貨金額情報をＣＰＵへ供給する。紙幣入出金口は、ＣＰＵから供給された紙幣の排出を指示する紙幣排出指示情報に従って、紙幣を排出する。紙幣入出金口は、紙幣が投入された場合に、紙幣の種類とそれぞれの枚数を計数し、投入された金額を算出し、算出した金額を示す紙幣金額情報をＣＰＵへ供給する。
【００５４】
サインポール部は、ＣＰＵから供給される点灯指示情報に応じて点灯し、点滅指示情報に応じて点滅する。
【００５５】
無線通信部は、アンテナ部を介して、他の無線装置（例えば、非図示の携帯端末）と無線通信する。
【００５６】
図４は、ストアコントローラ１００が記憶する情報の一例である。図４（ａ）は、ある時刻Ｔ１においてストアコントローラ１００が記憶している取引情報の一例、図４（ｂ）は、時刻Ｔ１以降の他の時刻Ｔ２においてストアコントローラ１００が記憶している取引情報の一例である。
【００５７】
図４（ａ）によれば、ストアコントローラ１００は、時刻Ｔ１において、レシート番号「９９９９９９」の取引情報（図中「Ａ」）と、レシート番号「００１２３４」の取引情報（図中「Ｂ」）と、レシート番号「１２３４５６」の取引情報（図中「Ｃ」）と、レシート番号「０００１０１」の取引情報（図中「Ｄ」）とを記憶している。また、図４（ｂ）によれば、ストアコントローラ１００は、時刻Ｔ２において、更に、レシート番号「０００００１」の取引情報（図中「Ｅ」）を記憶している。
【００５８】
各取引情報に含まれる、レシート番号、レジ番号、商品コード、数量、合計金額、登録日時、及び、撮像データ記憶アドレスは、登録装置２００における登録処理が終了する毎に、当該登録装置から受信して記憶したものである。なお、登録日時は、本実施形態では、当該登録装置２００がお会計券を発券（発行）した日時を用いている。撮像データ記憶アドレスは、当該登録装置２００において撮像した撮像データの記憶アドレスである。
撮像データ記憶アドレスは、図４の如く各登録装置２００内におけるアドレスであってもよいし、登録装置２００のアドレスを含むものであってもよい。また、撮像データ記憶アドレスの名は、レシート番号、レジ番号、日付等とリンク（関連付け）させてもよいし、独自のものを用いてもよい。
【００５９】
各取引情報に含まれる、未精算・精算済フラグは、精算装置３００から精算完了情報を受信したときに、未精算の状況を示す値「０（初期値）」から精算済の状況を示す値「１」に更新されるものである。
【００６０】
つまり、図４（ａ）（ｂ）は、時刻Ｔ１〜時刻Ｔ２の間に、１つの取引（図中「Ｅ」）が新規に発生した旨、未精算取引の１つ（図中「Ｂ」）が精算された旨も表している。
【００６１】
図５及び図６は、本発明の一実施形態によるＰＯＳシステム１における表示例である。具体的には、図５（ａ）〜図５（ｄ）、図６（ａ）、図６（ｂ）は、登録装置２００の店員用表示部２０５に表示される未精算一覧画面の一例である。図６（ｃ）は、店員用表示部２０５に表示される撮像データ表示画面の一例である。
【００６２】
未精算一覧画面の右上の時刻は、現在日時（例えば、後述の、ストアコントローラ１００に未精算取引情報を要求した時刻）である。現在日時の下段の件数は、当該一覧画面内の表示件数、即ち、未精算取引の件数である。
【００６３】
未精算一覧画面の発券時刻、レジ番号、レシート番号、買上点数、買上金額、経過時間は、ストアコントローラ１００に記憶している取引情報に相当する情報、又は、ストアコントローラ１００に記憶している取引情報から得られる情報である。例えば、未精算一覧画面の発券時刻は、ストアコントローラ１００に記憶している取引情報の登録日時（発券日時）に相当する。また、未精算一覧画面の買上点数は、ストアコントローラ１００に記憶している取引情報における商品コード毎の各数量の合計（即ち、一取引の全商品の買上点数）である。また、未精算一覧画面の経過時間は、ストアコントローラ１００に記憶している取引情報の発券日時から現在日時迄の時間である。なお、経過時間は、取引情報の記憶側（ストアコントローラ１００）で定期的（例えば、１秒毎）に算出してもよいし、取引情報の表示側（例えば、登録装置２００等）で表示時に算出してもよい。
【００６４】
登録装置２００は、例えば店員の操作に応じて未精算一覧画面を店員用表示部２０５に表示する。登録装置２００は、未精算一覧画面を表示しているときは、定期的（例えば、５秒毎）に、ストアコントローラ１００に未精算取引情報を要求する。登録装置２００から上記要求を受信したストアコントローラ１００は、図４の如く記憶している取引情報の中から、未精算取引情報（未精算・精算済フラグの値が未精算の状況を示す値である取引情報）を当該登録装置２００に送信する。
【００６５】
登録装置２００は、ストアコントローラ１００から未精算取引情報を受信しなかった場合（未精算取引情報がストアコントローラ１００に記憶されていない場合）、例えば図５（ａ）に示すように、未精算一覧画面には未精算取引情報を表示しない。
【００６６】
登録装置２００は、ストアコントローラ１００から未精算取引情報を受信した場合（未精算取引情報がストアコントローラ１００に記憶されている場合）、例えば図５（ｂ）〜図５（ｄ）に示すように、受信した未精算取引情報を未精算一覧画面に表示する（リスト化して表示する）。
【００６７】
なお、図５（ａ）〜図６（ａ）は、時系列に並べた未精算一覧画面である。なお、図５（ｃ）の未精算一覧画面は、ストアコントローラ１００が図４（ａ）に示した取引情報を記憶しているときの表示結果である。また、図５（ｄ）の未精算一覧画面は、ストアコントローラ１００が図４（ｂ）に示した取引情報を記憶しているときの表示結果である。
【００６８】
図５（ｃ）に示した１０時０２分３０秒の未精算一覧画面には、レシート番号「００１２３４」の未精算取引情報が表示されているが、当該未精算取引情報は、図５（ｄ）に示した１０時０３分００秒の未精算一覧画面には表示されていない。これは、１０時０２分３０秒〜１０時０３分００秒に、精算装置３００にて当該未精算取引情報が処理（精算処理）され、ストアコントローラ１００にて、当該未精算取引情報を精算済取引情報にしたためである。つまり、レシート番号「００１２３４」の取引情報の未精算・清算済フラグは、１０時０２分３０秒の時点では、図４（ａ）に示すように、未精算の状況を示す値「０」であったが、１０時０３分００秒の時点では、図４（ｂ）に示すように、精算済の状況を示す値「１」に更新したためである。
【００６９】
また、登録装置２００は、図５（ｄ）、図６（ａ）、図６（ｂ）に示すように、経過時間が所定時間（例えば、１分３０秒間）を超えた未精算取引情報を異なる表示態様で表示する。例えば、登録装置２００は、経過時間が所定時間を超えた未精算取引情報を強調表示（例えば、異なる色で表示、異なる大きさで表示、点滅して表示、下線、特定の記号を付して表示）する。なお、図５（ｄ）、図６（ａ）、図６（ｂ）の表内のドット表示は、強調表示されている旨を表している。換言すれば、登録装置２００は、未精算取引の取引識別情報をリスト化して表示するとともに、商品登録から所定の時間が経過した未精算取引の取引識別情報をリスト内にて目立つように表示する。なお、登録完了後所定期間経過前の未精算取引を地味な色（例えば黒色）で表示するのに対して登録完了後所定期間経過後の未精算取引を派手な色（例えば、赤色、黄色）で表示する態様や、登録完了後所定期間経過前の未精算取引を小さな文字で表示するのに対して登録完了後所定期間経過後の未精算取引を大きな文字で表示する態様のように、店員が、登録完了後所定期間経過前の未精算取引情報よりも登録完了後所定期間経過後の未精算取引の存在に注意が向くように両表示態様を異ならせることが望ましいが、必ずしもこれに限定するものではない。表示態様の差によって結果的に、登録完了後所定期間経過後の未精算取引がリスト内で目立つのであれば、異なる表示態様として、例えば、上記とは反対に、登録完了後所定期間経過前の未精算取引を派手な色で表示するのに対して登録完了後所定期間経過後の未精算取引を地味な色で表示するようにしてもよい。
【００７０】
また、登録装置２００は、未精算一覧画面において未精算取引が指定された場合、具体的には、図６（ａ）に示すように、ある未精算取引情報（図６（ａ）の枠の領域）がタッチされた場合、図６（ｂ）に示すように、ダイアログを表示する。登録装置２００は、ダイアログの映像確認ボタンがタッチされた場合、当該未精算取引の撮像データを自装置２００のハードディスク２１１から読み出して、又は、他の登録装置２００から受信して、図６（ｃ）に示すように、撮像データ表示画面上にて表示（再生）する。
【００７１】
なお、図６では、所定時間の経過後の未精算取引の撮像データを再生する例を示したが、所定時間の経過前の未精算取引（例えば、図６（ａ）において最も新しいレシート番号「００１１１１」の未精算取引）の撮像データを指定し、再生してもよい。
【００７２】
なお、登録装置２００に代えて、又は、加えて、ストアコントローラ１００、精算監視装置４００においても、未精算一覧画面（即ち、未精算取引情報）、撮像データ表示画面（即ち、撮像データ）を表示してもよい。
【００７３】
図７及び図８は、ＰＯＳシステム１の動作を説明するためのフローチャートである。
図７（ａ）は、撮像データ、未精算取引情報を記憶する過程の動作を表している。図７（ａ）の左側は登録装置２００の動作、右側はストアコントローラ１００の動作を表している。
【００７４】
ステップＳ１０：登録装置２００は、スキャン開始又は画面上のプリセットボタンをタッチし、お客の買上商品について登録処理を実行する。また、登録処理と並行して、当該お客を撮像する。なお、お客が、実際にお会計券を受け取ったか否かなどを確認できるように、お会計券発行から一定時間（例えば、５秒間）、撮像しておくとよい。
ステップＳ１２：登録装置２００は、当該取引の取引情報をストアコントローラ１００に送信する。
ステップＳ１４：登録装置２００は、当該取引の取引識別情報に対応付けて撮像データを記憶する。
ステップＳ２０：ストアコントローラ１００は、登録装置２００から送信された取引情報を受信する。
ステップＳ２２：ストアコントローラ１００は、登録装置２００から受信した取引情報を未精算取引情報として記憶する。具体的には、ストアコントローラ１００は、登録装置２００から受信した取引情報の未精算・精算済フラグの値を未精算の状況を示す値にして記憶する。
【００７５】
図７（ｂ）は、未精算取引情報を精算済取引情報に更新する過程の動作を表している。。図７（ｂ）の左側は精算装置３００の動作、右側はストアコントローラ１００の動作を表している。
【００７６】
ステップＳ３０：精算装置３００は、お会計券上の２次元コードを読み込んで当該２次元コードの情報として、ある取引（未精算取引）の取引情報（未精算取引情報）を取得し、精算処理を実行する。なお、精算装置３００は、２次元コードの情報として、ある取引（未精算取引）の取引識別情報（未精算取引情報）のみを取得した場合には、当該取引識別情報によって識別される、ある取引の取引情報をストアコントローラ１００から受信し、精算処理を実行する。
ステップＳ３２：精算装置３００は、当該取引について精算が完了した旨の情報（精算完了情報）をストアコントローラ１００に送信する。
ステップＳ４０：ストアコントローラ１００は、精算装置３００から送信された精算完了情報を受信する。
ステップＳ４２：ストアコントローラ１００は、当該取引の取引情報（未精算取引情報）を精算済取引情報に更新する。具体的には、ストアコントローラ１００は、精算装置３００から受信した精算完了情報に含まれている取引識別情報によって識別される取引情報の未精算・精算済フラグの値を未精算の状況を示す値から精算済の状況を示す値に更新する。上記更新によって、当該取引は、未精算一覧画面に表示されなくなる。
【００７７】
図８（ａ）は、登録装置２００における未精算取引情報の撮像データ等の表示動作を表している。
ステップＳ５０：登録装置２００は、未精算一覧画面を表示しているときは、定期的（例えば、５秒毎）に、ストアコントローラ１００から未精算取引情報を受信し、未精算一覧画面に表示／再表示（更新）する。
ステップＳ５２：登録装置２００は、ある取引（未精算取引）の映像の再生要求があったか否かを判断する。例えば、登録装置２００は、未精算一覧画面において、ある取引情報（未精算取引情報）が指定され、映像確認ボタンがタッチされたか否かにより、再生要求があったか否かを判断する。再生要求がなかった場合には、本フローチャートを終了し、所定の時間経過後（例えば、５秒後）に、再度、ステップＳ５０を実行する。再生要求があった場合にはステップＳ５４に進む。
ステップＳ５４：登録装置２００は、当該取引（未精算取引）は自装置２００にて登録処理されたか否かを判断する。例えば、登録装置２００は、指定された取引情報（未精算取引情報）のレジ番号（端末識別情報）が自装置２００のものであるか否かにより、自装置にて登録処理されたか否かを判断する。自装置２００にて登録処理された場合にはステップＳ５６に進む。自装置２００にて登録処理されていない場合にはステップＳ５８に進む。
ステップＳ５６：登録装置２００は、自装置２００（ハードディスク２１１）に記憶されている当該取引の撮像データを読み出し、撮像データ表示画面上にて表示（再生）する。
ステップＳ５８：登録装置２００は、レジ番号にて特定される当該取引を処理した他の登録装置２００から当該取引の撮像データを受信し、撮像データ表示画面上にて表示（再生）する。
【００７８】
なお、ステップＳ５６（又はステップＳ５８）において動画（撮像データ）を閲覧した店員は、動画の人物と同じ特徴（容姿、服装）を持つ人物が店内にいるか否かを確認し（探し）、発見した場合には声を掛けることで、未精算のまま店内から出ていくことを未然に防ぐことができる。また、発見できなかった場合にも、その人物の特徴は既に判っているので、次回以降の来店時に注意を払うことができるようになり、未精算のまま店内から出ていくことを未然に防ぐことができる。精算監視装置４００及びストアコントローラ１００にて閲覧する場合も同様である。
【００７９】
図８（ｂ）は、精算監視装置４００における未精算取引情報の撮像データ等の表示動作を表している。
ステップＳ６０：精算監視装置４００は、未精算一覧画面を表示しているときは、登録装置２００と同様に、定期的（例えば、５秒毎）に、ストアコントローラ１００から未精算取引情報を受信し、未精算一覧画面に表示／再表示（更新）する。
ステップＳ６２：精算監視装置４００は、登録装置２００と同様に、ある取引（未精算取引）の映像の再生要求があったか否かを判断する。再生要求がなかった場合には、本フローチャートを終了し、所定の時間経過後（例えば、５秒後）に、再度、ステップＳ６０を実行する。再生要求があった場合にはステップＳ６８に進む。
ステップＳ６８：精算監視装置４００は、レジ番号にて特定される当該取引を処理した登録装置２００から当該取引の撮像データを受信し、撮像データ表示画面上にて表示（再生）する。
【００８０】
図８（ｃ）は、ストアコントローラ１００における未精算取引情報の撮像データ等の表示動作を表している。
ステップＳ７０：ストアコントローラ１００は、未精算一覧画面を表示しているときは、定期的（例えば、５秒毎）に、自装置１００に記憶している未精算取引情報を読出し、未精算一覧画面に表示／再表示（更新）する。
ステップＳ７２：ストアコントローラ１００は、登録装置２００と同様に、ある取引（未精算取引）の映像の再生要求があったか否かを判断する。再生要求がなかった場合には、本フローチャートを終了し、所定の時間経過後（例えば、５秒後）に、再度、ステップＳ７０を実行する。再生要求があった場合にはステップＳ７８に進む。
ステップＳ７８：ストアコントローラ１００は、精算監視装置４００と同様、レジ番号にて特定される当該取引を処理した登録装置２００から当該取引の撮像データを受信し、撮像データ表示画面上にて表示（再生）する。
【００８１】
以上、ＰＯＳシステム１によれば、登録装置２００（精算監視装置４００、ストアコントローラ１００も同様）は、未精算取引の撮像データ、即ち、精算が完了していない顧客の撮像データを読み出して表示するので、店員は、精算が完了していない顧客の特徴（顔、体型、服装などの容姿）を確認することができる。しかも、撮像データの表示に際し、膨大な撮像データの中から不正行為があったと思われる時間や顧客を特定するというような手間は掛からない。従って、登録は行われたものの精算を行っていない顧客を容易に特定することができる。
【００８２】
また、登録装置２００（精算監視装置４００、ストアコントローラ１００も同様）は、未精算一覧画面において、取引情報をリスト化して表示するので、登録は行われたものの精算を行っていない取引（顧客）の数を大まかに（若しくは必要であれば正確に）に把握することができる。従って、一例としては、リスト内の情報が、同程度の混雑具合（例えば、直前に登録した顧客数）に比べ異常に多い場合には何らかの問題が生じている状況にある可能性があるが、現在、そのような状況になっていることを店員に知らせることができる。また、未精算一覧画面において、商品登録から所定の時間が経過した未精算取引の取引情報をリスト内にて目立つように表示するので、登録が完了してから一定期間経過しても精算が完了しない取引（顧客）が存在する場合には、リスト内の他の取引（顧客）よりも優先して当該取引（顧客）の撮像データを閲覧するように、店員に対して注意を促すことができる。
【００８３】
なお、上記実施形態では、登録装置２００（精算監視装置４００、ストアコントローラ１００も同様）は、所定の時間が経過していない未精算取引情報、及び、所定の時間が経過した未精算取引情報を未精算一覧画面にリスト化して表示するが、表示態様はこれに限定されない。例えば、表示形式として、登録装置２００（精算監視装置４００、ストアコントローラ１００も同様）は、ダイアログのようにポップアップする領域に１つずつ未精算取引情報を表示してもよい。また、登録装置２００（精算監視装置４００、ストアコントローラ１００も同様）は、現在表示中の画面の枠部分（例えば、ステイタスバーのような部分）に未精算取引情報を表示してもよい。また、登録装置２００は、自機器２００にて処理した未精算取引情報のみを表示してもよい。また、表示対象として、登録装置２００（精算監視装置４００、ストアコントローラ１００も同様）は、所定の時間が経過した未精算取引情報のみを表示してもよい。
【００８４】
なお、上記実施形態において、精算が完了した取引の顧客の撮像データを削除するようにしてもよい。例えば、以下の流れとしてもよい。精算装置３００は、ある取引の精算処理の完了後、ストアコントローラ１００に加え、当該取引を処理した登録装置２００にも精算完了情報を送信する。精算装置３００から精算完了情報を受信した登録装置２００は、精算完了情報に含まれている取引識別情報に対応付けられている撮像データを削除する。あるいは、以下の流れとしてもよい。精算装置３００は、ある取引の精算処理の完了後、ストアコントローラ１００のみに精算完了情報を送信する。精算装置３００から精算完了情報を受信したストアコントローラ１００は、当該取引の取引情報（未精算取引情報）を精算済取引情報に更新した後に、当該取引を処理した登録装置２００に精算完了情報を送信する。ストアコントローラ１００から精算完了情報を受信した登録装置２００は、精算完了情報に含まれている取引識別情報に対応付けられている撮像データを削除する。
【００８５】
精算が完了した取引の顧客の撮像データを削除するようにすれば、撮像データを記憶する容量を少なくし、かつ、効率的に撮像データを読み出すことができるようになる。
【００８６】
なお、上記実施形態では、取引日時（登録装置２００における登録処理が完了した日時）として、お会計券を発行した日時を用いているが、取引日時として他の日時を用いてもよい。例えば、登録装置２００において精算処理を行うべき精算装置３００を指定（指示）する場合には、当該指定日時を取引日時としてもよい。
【００８７】
なお、上記実施形態では、経過時間が所定時間（例えば、１分３０秒）を超えた未精算取引情報を異なる態様で表示すると説明したが、経過時間に応じた表示としてもよい。例えば、経過時間が第１の基準時間（例えば、１分３０秒間）未満の取引情報を第１の色で表示（点灯）し、経過時間が第１の基準時間以上、第２の基準時間（例えば、２分３０秒間）未満の取引情報を第１の色よりも派手な第２の色で表示（点灯）し、経過時間が第２の基準時間以上、第３の基準時間（例えば、３分３０秒間）未満の取引情報を第２の色よりも派手な第３の色で表示（点灯）し、経過時間が第３の基準時間以上の取引情報を第３の色で点滅して表示するようにしてもよい。また、経過時間が第３の基準時間以上の取引情報がある場合にはブザーを鳴らしてもよい。
【００８８】
なお、上記実施形態では、顧客（取引）毎に撮像し、取引毎の撮像データを記憶し、指定した取引の撮像データを再生する態様であるが、複数の顧客（取引）を通して撮像し、取引毎に当該撮像データにおける撮像位置（開始位置、終了位置）を記憶し、指定した取引の撮像位置から当該撮像データを再生するようにしてもよい。つまり、常時動画撮像しておき、登録処理が終了した場合には、当該取引の取引識別情報と、撮像データ全体から各取引の撮像部分を特定する特定情報（例えば、開始時刻、終了時刻）とを対応付けて記憶し、再生時は、特定情報によって特定される部分を再生するようにしてもよい。
なお、静止画を撮像データとしてもよい。例えば、１取引において１枚の静止画を撮像し、当該１枚の静止画を取引識別情報に対応付けて記憶してもよいし、１取引において２枚以上の静止画（例えば、一定時間毎に撮像する静止画）を撮像し、当該全ての静止画を取引識別情報に対応付けて記憶してもよい。
【００８９】
なお、上記実施形態では、印刷媒体に２次元コードを印刷してお会計券としたが、情報の読み書き可能なカードに、精算装置３００における精算処理を行うときに必要となる情報を記憶したものをお会計券としてもよい。
【００９０】
なお、上記実施形態では、登録装置２００は、１つの撮像部２１２を備えるが、登録装置２００は、２以上の撮像部２１２を備えるようにしてもよい。つまり、各登録装置２００の夫々が、各取引において、撮像範囲や撮像角度の異なる複数台のカメラを同時に使用し、撮像してもよい。上述のように各取引について複数台のカメラにて撮像する場合には、例えば、未精算一覧画面から未精算取引情報を指定したときは、同時に撮像された複数の撮像データを同時に再生してもよいし、更に、再生する撮像データ（若しくは、再生する撮像データを撮像したカメラ）を指定できるようにしてもよい。
【００９１】
なお、上記実施形態では、撮像データは、登録装置２００のハードディスク２１１にて記憶するが、撮像部２１２に設けた記憶部にて記憶してもよいし、他の装置（ストアコントローラ１００、精算監視装置４００）に送信し、他の装置にて記憶してもよい。
【００９２】
なお、上記実施形態では、商品登録中に顧客を撮像するが、商品登録中に加え、精算中に、顧客を撮像してもよい。換言すれば、登録装置２００に加え、精算装置３００も、撮像部（カメラ）を備えるようにしてもよい。なお、精算装置３００は、例えば、お会計券（若しくは、上述のカード）を読み取ったタイミングで撮像を開始する。また、精算装置３００は、登録装置２００において精算処理を行うべき精算装置３００が指定されている場合には、精算処理を開始するためのボタンを押したタイミングで撮像を開始してもよい。
【００９３】
なお、上記実施形態では、各取引は、「未精算」又は「精算済」の２つのステータス（状態）としていたが、「未精算（精算前）」「精算中」「精算済」の３つのステータスとしてもよい。「精算中」は、精算装置３００がお会計券を読み取ってから精算を完了させるまでの状態である。例えば、ストアコントローラ１００は、お会計券を読み取った旨の情報を精算装置３００から受信した場合に、取引情報の精算状況情報を「未精算（精算前）」を示す値から「精算中」を表す値に更新し、精算が完了した旨の情報（精算完了情報）を精算装置３００から受信した場合に、取引情報の精算状況情報を「精算中」を示す値から「精算済」を表す値に更新することによって、３つのステータスを管理する。
【００９４】
「未精算（精算前）」「精算中」「精算済」の３つのステータスをとる場合、登録装置２００（精算監視装置４００、ストアコントローラ１００も同様）は、例えば、未精算一覧画面に、「未精算（精算前）」と「精算中」の取引情報を表示する。「精算中」の取引情報が指定された場合には、登録装置２００（精算監視装置４００、ストアコントローラ１００も同様）は、登録装置２００において撮像された撮像データと、精算装置３００において撮像されている撮像データを選択して閲覧できるようにする。これにより、精算は開始したものの、なかなか精算が進まないお客に店員が声をかけることで、精算をスムーズにすすめることができるようになるとともに、お会計券は読み取ったものの、精算を終わらせずに帰ってしまう客の動作を確認することができるようになる。
【００９５】
以上、本発明の実施形態について図面を参照して詳述したが、具体的な構成はこの実施形態に限られるものではなく、この発明の要旨を逸脱しない範囲の設計等も含まれる。
【００９６】
なお、本発明のＰＯＳシステム１の各処理を実行するためのプログラムをコンピュータ読み取り可能な記録媒体に記録して、当該記録媒体に記録されたプログラムをコンピュータシステムに読み込ませ、実行することにより、ＰＯＳシステム１の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００９８】
以上、この発明の実施形態について図面を参照して詳述してきたが、具体的な構成はこの実施形態に限られるものではなく、この発明の要旨を逸脱しない範囲の設計等も含まれる。
【符号の説明】
【００９９】
１…ＰＯＳシステム  ２０…商品棚  ２２…カウンタ台  １００…ストアコントローラ（上位装置）  １１０…ＬＡＮ（Ｌｏｃａｌ  Ａｒｅａ  Ｎｅｔｗｏｒｋ）  ２００…登録装置  ２０１…ＣＰＵ（Ｃｅｎｔｒａｌ  Ｐｒｏｃｅｓｓｉｎｇ  Ｕｎｉｔ）  ２０２…ＲＯＭ  ２０３…ＲＡＭ  ２０４…スキャナ部  ２０５…店員用表示部  ２０６…客用表示部  ２０７…操作部  ２０８…通信部  ２０９…ブザー  ２１０…印刷部  ２１１…ハードディスク  ２１２…撮像部（カメラ）  ３００…精算装置（会計装置）  ４００…精算監視装置（アテンダント端末）
【図１】
2014016880.tif 000003
【図２】
2014016880.tif 000004
【図３】
2014016880.tif 000005
【図４】
2014016880.tif 000006
【図５】
2014016880.tif 000007
【図６】
2014016880.tif 000008
【図７】
2014016880.tif 000009
【図８】
2014016880.tif 000010